(57)【要約】【課題】  電子カメラ等の撮像装置においては、多様な撮影シーンに対応しシャッターチャンスに強い撮像装置を提供するために電源Ｏｎから撮影可能状態までにかかる時間を短くすることが望まれている。【解決手段】  カメラモード（撮影、再生）、起動方法を判定するための起動に必要な最小限のパラメータのみを先読みし、撮影可能状態にする鏡筒繰り出し、ファイルシステム初期化、表示系電源、撮像電源等の初期化中のＣＰＵ空き時間を利用して、各撮影モードの撮影パラメータ、カメラ内全設定を初期化することで起動時間を短くする。つまり、起動に必要な最小限のパラメータのみを先読みし処理時間がかかる鏡筒繰り出しを実行することで起動時間を短くする事を特徴とする。【選択図】        図２
2006109332.tif 000002
【特許請求の範囲】
【請求項１】
第一の初期化処理に必要な設定値を記憶する第一初期化設定値記憶手段と、
第二の初期化処理に必要な設定値を記憶する第二初期化設定値記憶手段と、
前記第一初期化設定値を電源投入時に読み出す第一初期化設定値読み出し手段と、
前記第一初期化設定値を読み出した結果、第一の初期化を行なう第一初期化手段と、
前記第一初期化処理実行と並列して前記第二初期化設定値を読み出す第二初期化設定値読み出し手段と、
前記第二初期化設定値を読み出した結果、第二の初期化を行なう第二初期化手段とを有し、
前記第一初期化と前記第二初期化を並列して実行することを特徴とする撮像装置。
【請求項２】
請求項１記載の撮像装置において、第一初期化設定に前回電源レベルを記憶することを特徴とする撮像装置。
【請求項３】
請求項１記載の撮像装置において、第一初期化設定に電子ファインダ設定を記憶することを特徴とする撮像装置。
【請求項４】
請求項１記載の撮像装置において、第一初期化設定に撮影モード設定を記憶することを特徴とする撮像装置。
【請求項５】
請求項１記載の撮像装置において、第一初期化設定に起動画面及び起動音設定を記憶することを特徴とする撮像装置。
【請求項６】
請求項１記載の撮像装置において、
表示データを設定することで直接表示に描画を行なうことができる表示メモリと、
前記表示メモリの下書きを行なうことができる表示下書きメモリと、
前記下書きメモリから前記表示メモリへ表示データを転送する表示メモリ転送手段と有し、
第二初期化処理を実行後、前記第二初期化設定から読み出した設定値に基づき表示内容を前記下書きメモリに設定する下書きメモリ設定手段と、
第一の初期化処理と第二の初期化処理が終了したときに前記下書きメモリに設定された表示内容を前記表示メモリ転送手段を利用して前期表示器に表示することを特徴とする撮像装置。
【請求項７】
請求項１記載の撮像装置において、前記第二初期化設定値を読み出した結果、第二の初期化を行なう第二初期化手段とを有し、
前記第一初期化と前記第二初期化を並列して実行することを特徴とする撮像装置の制御方法。
【請求項８】
請求項１記載の撮像装置において、第一の初期化処理に必要な設定値を記憶する第一初期化設定値記憶手段と、
第二の初期化処理に必要な設定値を記憶する第二初期化設定値記憶手段と、
前記第一初期化設定値を電源投入時に読み出す第一初期化設定値読み出し手段と、
前記第一初期化設定値を読み出した結果、第一の初期化を行なう第一初期化手段と、
前記第一初期化処理実行と並列して前記第二初期化設定値を読み出す第二初期化設定値読み出し手段と、
前記第二初期化設定値を読み出した結果、第二の初期化を行なう第二初期化手段とを有し、
前記第一初期化と前記第二初期化を並列して実行することを特徴とする撮像装置の記憶媒体。
【発明の詳細な説明】
【技術分野】
【０００１】
本発明は、静止画像や動画像を撮像、記憶、通信、記録、再生する撮像装置及びその制御方法及び記憶媒体に関する。
【背景技術】
【０００２】
電子カメラ等の撮像装置においては、多様な撮影シーンに対応しシャッターチャンスに強い撮像装置を提供するために電源Ｏｎから撮影可能状態までにかかる時間を短くすることが望まれている。
【０００３】
起動を高速化する手段として、プログラムの読み出し手順や信号処理回路の設定手段が提案されている。
【０００４】
動作モードに応じたプログラム読み出し手順は、特許文献１に示されている。
【０００５】
起動時に必要な映像信号処理回路の各種設定値の設定を効率よく行って、起動時間を短縮する方法は、特許文献２に示されている。
【特許文献１】特開２００１−２０９５４５号公報
【特許文献２】特開２００３−３４８４０４号公報
【発明の開示】
【発明が解決しようとする課題】
【０００６】
従来の方法では、起動時に操作部材の状態から撮影モード、再生モード等のカメラ動作モードの判定を行い、撮影モード時は、鏡筒の繰り出し・撮像システムの初期化・起動画面表示等を行なうためにカメラ全体のパラメータを読み出しそれぞれの設定を行なっていた。操作仕様増加に伴いカメラ全体のパラメータが増加し設定の読み出し時間が長くなりカメラ起動に時間がかかる問題があった。仕様が増加してもシャッターチャンスを逃さないために起動を高速化することが課題となっている。
【０００７】
本発明は、上述の問題点に着目してなされたものであって、電源を入れてから撮影可能状態になるまでの起動時間を短くすることのできる撮像装置及びその制御方法及び記憶媒体を提供することを目的とする。
【課題を解決するための手段】
【０００８】
上記目的を達成するために、請求項１に記載の発明は、撮像装置は、
第一の初期化処理に必要な設定値を記憶する第一初期化設定値記憶手段と、
第二の初期化処理に必要な設定値を記憶する第二初期化設定値記憶手段と、
前記第一初期化設定値を電源投入時に読み出す第一初期化設定値読み出し手段と、
前記第一初期化設定値を読み出した結果、第一の初期化を行なう第一初期化手段と、
前記第一初期化処理実行と並列して前記第二初期化設定値を読み出す第二初期化設定値読み出し手段と、
前記第二初期化設定値を読み出した結果、第二の初期化を行なう第二初期化手段とを有し、
前記第一初期化と前記第二初期化を並列して実行することを特徴とする。
【０００９】
上記目的を達成するために、請求項２に記載の発明は、撮像装置は、
請求項１記載の撮像装置において、第一初期化設定に前回電源レベルを記憶することを特徴とする。
【００１０】
上記目的を達成するために、請求項３に記載の発明は、撮像装置は、
請求項１記載の撮像装置において、第一初期化設定に電子ファインダ設定を記憶することを特徴とする。
【００１１】
上記目的を達成するために、請求項４に記載の発明は、撮像装置は、
請求項１記載の撮像装置において、第一初期化設定に撮影モード設定を記憶することを特徴とする。
【００１２】
上記目的を達成するために、請求項５に記載の発明は、撮像装置は、
請求項１記載の撮像装置において、第一初期化設定に起動画面及び起動音設定を記憶することを特徴とする。
【００１３】
上記目的を達成するために、請求項６に記載の発明は、撮像装置は、
請求項１記載の撮像装置において、
表示データを設定することで直接表示に描画を行なうことができる表示メモリと、
前記表示メモリの下書きを行なうことができる表示下書きメモリと、
前記下書きメモリから前記表示メモリへ表示データを転送する表示メモリ転送手段と有し、
第二初期化処理を実行後、前記第二初期化設定から読み出した設定値に基づき表示内容を前記下書きメモリに設定する下書きメモリ設定手段と、
第一の初期化処理と第二の初期化処理が終了したときに前記下書きメモリに設定された表示内容を前記表示メモリ転送手段を利用して前記表示器に表示することを特徴とする。
【００１４】
上記目的を達成するために、請求項７に記載の発明は、撮像装置は、
請求項１記載の撮像装置において、前記第二初期化設定値を読み出した結果、第二の初期化を行なう第二初期化手段とを有し、
前記第一初期化と前記第二初期化を並列して実行することを特徴とする撮像装置の制御方法。
【００１５】
上記目的を達成するために、請求項８に記載の発明は、撮像装置は、
請求項１記載の撮像装置において、第一の初期化処理に必要な設定値を記憶する第一初期化設定値記憶手段と、
第二の初期化処理に必要な設定値を記憶する第二初期化設定値記憶手段と、
前記第一初期化設定値を電源投入時に読み出す第一初期化設定値読み出し手段と、
前記第一初期化設定値を読み出した結果、第一の初期化を行なう第一初期化手段と、
前記第一初期化処理実行と並列して前記第二初期化設定値を読み出す第二初期化設定値読み出し手段と、
前記第二初期化設定値を読み出した結果、第二の初期化を行なう第二初期化手段とを有し、
前記第一初期化と前記第二初期化を並列して実行することを特徴とする撮像装置の記憶媒体。
【発明の効果】
【００１６】
電源を入れてから撮影可能状態になるまでの起動時間を短くすることを目的とする。カメラモード（撮影、再生）、起動方法を判定するための起動に必要な最小限のパラメータのみを先読みし、撮影可能状態にする鏡筒繰り出し、ファイルシステム初期化、表示系電源、撮像電源等の初期化中のＣＰＵ空き時間を利用して、各撮影モードの撮影パラメータ、カメラ内全設定を初期化することで起動時間を短くすることが可能となる。
【発明を実施するための最良の形態】
【００１７】
以下本発明を実施するための最良の形態を、実施例により詳しく説明する。
【実施例１】
【００１８】
＜撮像装置１００の構成説明＞
次に、図１を用いて、前述した撮像装置１００について説明する。
【００１９】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２０】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２１】
２０は画像処理回路であり、Ａ／Ｄ変換器１６からのデータ或いはメモリ制御回路２２からのデータに対して所定の画素補間処理や色変換処理を行なう。
【００２２】
また、画像処理回路２０においては、撮像した画像データを用いて所定の演算処理を行い、得られた演算結果に基づいてシステム制御回路５０が露光制御手段４０、測距制御手段４２に対して制御を行なう、ＴＴＬ（スルー・ザ・レンズ）方式のＡＦ（オートフォーカス）処理、ＡＥ（自動露出）処理、ＥＦ（フラッシュプリ発光）処理を行っている。
【００２３】
更に、画像処理回路２０においては、撮像した画像データを用いて所定の演算処理を行い、得られた演算結果に基づいてＴＴＬ方式のＡＷＢ（オートホワイトバランス）処理も行っている。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２７】
画像表示部２８を用いて撮像した画像データを逐次表示すれば、電子ファインダ機能を実現することが可能である。
【００２８】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２９】
３０は撮影した静止画像や動画像を格納するためのメモリであり、所定枚数の静止画像や所定時間の動画像を格納するのに十分な記憶量を備えている。
【００３０】
これにより、複数枚の静止画像を連続して撮影する連写撮影やパノラマ撮影の場合にも、高速かつ大量の画像書き込みをメモリ３０に対して行なうことが可能となる。
【００３１】
また、メモリ３０はシステム制御回路５０の作業領域としても使用することが可能である。
【００３２】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００３３】
３４は暗号／復号回路であり、撮影してメモリ３０の所定領域に記憶した画像データに対して必要に応じて暗号化処理を行なうと共に、暗号化処理を行ってメモリ３０の所定領域に記憶した画像データを再生表示する際に復号化処理を行なう。
【００３４】
４０は絞り機能を備えるシャッター１２を制御する露光制御手段であり、フラッシュ４８と連携することによりフラッシュ調光機能も有するものである。
【００３５】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３６】
４８はフラッシュであり、ＡＦ補助光の投光機能、フラッシュ調光機能も有する。
【００３７】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行なう。
【００３８】
５０は撮像装置１００全体を制御するシステム制御回路、５２はシステム制御回路５０の動作用の定数、変数、プログラム等を記憶するメモリである。
【００３９】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００４０】
また、表示部５４は、その一部の機能が光学ファインダ１０４内に設置されている。
【００４１】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示、外部コンピュータとの接続状態を示す表示、等がある。
【００４２】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００４３】
更に、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４４】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４５】
５６は電気的に消去・記録可能な不揮発性メモリであり、例えばＥＥＰＲＯＭ、フラッシュメモリ等が用いられる。
【００４６】
ここで、これらの操作手段の具体的な説明を行なう。
【００４７】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【００４８】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４９】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００５０】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等がある。
【００５１】
なお、圧縮モードスイッチにおいては、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率を選択するため、或いは撮像素子の信号をそのままディジタル化して記録媒体に記録するＣＣＤＲＡＷモードを選択するためのスイッチである。
【００５２】
ＪＰＥＧ圧縮のモードは、例えばノーマルモードとファインモードが用意されている。
【００５３】
撮像装置１００の利用者は、撮影した画像のデータサイズを重視する場合はノーマルモードを、撮影した画像の画質を重視する場合はファインモードを、それぞれ選択して撮影を行なうことが出来る。
【００５４】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、必要に応じて暗号／復号回路３４により所定の暗号化処理を行った後、記録媒体２００に記録を行なう。
【００５５】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、必要に応じて暗号／復号回路３４により所定の暗号化処理を行った後、記録媒体２００に記録を行なう。
【００５６】
７２はモードダイアルスイッチで、自動撮影モード、撮影モード、パノラマ撮影モード、再生モード、マルチ画面再生・消去モード、ＰＣ接続モード等の各機能モードを切り替え設定することが出来る。
【００５７】
なお、本実施例の説明においては、特に、撮影モード、再生モード、プリントサービスモードを撮像装置１００が備える構成としている。
【００５８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５９】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源手段である。
【００６０】
９０はメモリカードやハードディスク等の記録媒体とのインタフェース、９２はメモリカードやハードディスク等の記録媒体と接続を行なうコネクタである。
【００６１】
１０２は、撮像装置１００のレンズ１０を含む撮像部を覆う事により、撮像部の汚れや破損を防止するバリアである保護手段である。
【００６２】
１０４は光学ファインダであり、画像表示部２８による電子ファインダ機能を使用すること無しに、光学ファインダのみを用いて撮影を行なうことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００６３】
１１０は通信手段で、ＴＤＭＡ（Ｔｉｍｅ  Ｄｉｖｉｓｉｏｎ  Ｍｕｌｔｉｐｌｅ  Ａｃｃｅｓｓ）方式やＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ＰＨＳ（Ｐｅｒｓｏｎａｌ  Ｈａｎｄｙｐｈｏｎｅ  Ｓｙｓｔｅｍ）方式等の携帯電話通信機能を有する。
【００６４】
１１２はアンテナ（或いはコネクタ）で、通信手段１１０により撮像装置１００を、不図示のパケット網、不図示のネットワークを介して不図示の画像情報管理装置（画像ゲートウェイ）と接続する、更には、不図示のネットワーク、不図示のインターネットを介して他の機器と接続する際のアンテナ或いは有線通信の場合はコネクタである。
【００６５】
１１４は通信手段で、Ｂｌｕｅｔｏｏｔｈなどの無線通信機能を有する。
また、通信手段１１４は、ＲＳ２３２ＣやＵＳＢ（Ｕｎｉｖｅｒｓａｌ  Ｓｅｒｉａｌ  Ｂｕｓ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  １３９４、Ｐ１２８４、ＳＣＳＩ（Ｓｍａｌｌ  Ｃｏｍｐｕｔｅｒ  Ｓｙｓｔｅｍ  Ｉｎｔｅｒｆａｃｅ）、モデム、ＬＡＮ（Ｌｏｃａｌ  Ａｒｅａ  Ｎｅｔｗｏｒｋ）等の有線通信、ＩｒＤＡ（Ｉｎｆｒａｒｅｄ  Ｄａｔａ  Ａｓｓｏｃｉａｔｉｏｎ）などの赤外線通信、光通信等の各種通信機能を有する構成としても良い。
【００６６】
１１６はアンテナ（或いはコネクタ）で、通信手段１１４により撮像装置１００を不図示の印刷装置（プリントサービス）等の他の機器と接続する際のアンテナ或いは有線通信の場合はコネクタである。
【００６７】
２００はメモリカードやハードディスク等の記録媒体である。
【００６８】
記録媒体２００は、半導体メモリや磁気ディスク等から構成される記録部２０２、撮像装置１００とのインタフェース２０４、撮像装置１００と接続を行なうコネクタ２０６を備えている。
【００６９】
なお、記録媒体２００は本実施例では撮像装置１００に内蔵される構成として説明している。
【００７０】
＜撮像装置１００の動作説明＞
図２乃至図３を参照して、本発明の第１の実施例の動作を説明する。
【００７１】
図２は本実施例の起動シーケンスのフローチャートを示す。
【００７２】
図２を用いて、起動シーケンスの動作を説明する。
【００７３】
電池交換等の電源投入により、システム制御回路５０はフラグや制御変数等を初期化すると共に、基本ソフトの起動を行なう（ステップＳ１００１）。撮像装置１００各部の初期化処理を行なう（ステップＳ１００２）。
【００７４】
起動パラメータが不揮発性メモリ５６に記録されているかを確認する（ステップＳ１００４）。起動パラメータが不揮発性メモリ５６に記録されていないときは、全体のパラメータを不揮発性メモリから読み出す（ステップＳ１００６）。記録されている場合は、起動パラメータを読み出す（ステップＳ１００７）。起動パラメータは、前回の終了状態、前回終了時のバッテリーレベル、ズーム位置、撮影モード、電子ファインダ設定、表示器設定、起動音設定、起動画面設定、消音設定等の鏡筒を繰り出すために必要な情報やシステム状態に応じて起動方法を変えなければいけない情報や起動画面／音に必要な設定である。
【００７５】
また、起動パラメータを読み出し後、鏡筒繰り出しに必要な電子ファインダ設定を制御変数に設定する。
【００７６】
システム制御回路５０は、電源スイッチ６０の設定位置を判断し、電源スイッチ６０が電源ＯＦＦに設定されていたならば（ステップＳ１０３０）、各表示部の表示を終了状態に変更し、フラグや制御変数等を含む必要なパラメータや設定値、設定モードとカメラ全体のパラメータから起動に必要なパラメータを読み出した起動パラメータを不揮発性メモリ５６に記録し、電源制御手段８０により画像表示部２８を含む画像処理装置１００各部の不要な電源を遮断する等の所定の終了処理を行なう（ステップＳ１０３０）。
【００７７】
電源スイッチ６０が撮影モードに設定されていたならば（ステップＳ１００８）、ステップＳ１００９に進む。
【００７８】
この負荷試験処理（ステップＳ１００９）の詳細は、図３を用いて後述する。
【００７９】
負荷試験（ステップＳ１００９）に成功した場合は、鏡筒繰り出しを実行する（ステップＳ１０１０）。
【００８０】
鏡筒繰り出し処理と並列で画像表示部２８の電源を投入し、アイコン／フォント／メニュー等を表示するためにＧＵＩシステムの初期化を行なう（ステップＳ１０１５）。
【００８１】
鏡筒繰り出し及び画像表示部２８電源投入と並列してファイルシステムの初期化を行なう（ステップＳ１０１６）。
【００８２】
画像表示部２８の電源が設定したレベルに到達したか確認する（ステップＳ１０１７）。この確認は、各電源を投入するときに突入電流がオーバーしないためである。
【００８３】
電源が設定レベルに到達したら、撮像素子１４の電源を投入する（ステップＳ１０１８）。
【００８４】
カメラ全体のパラメータを不揮発性メモリ５６から読み出し、制御変数に設定する（ステップＳ１０１９）。
【００８５】
電子ファインダ表示設定されている場合はフォーカス処理、露出処理、ホワイトバランス処理等を実行する。
【００８６】
鏡筒繰り出し、ファイルシステム初期化、フォーカス処理、露出処理、ホワイトバランス処理等のすべての初期化処理が完了したら、電子ファインダを表示し撮影可能状態に遷移する。
【００８７】
もっとも撮影モード起動に時間のかかる鏡筒繰り出しを実行するための初期化を最小にすることで鏡筒繰り出しを電源投入後できるだけ早く実行し、鏡筒繰り出し中にその他初期化、起動を行なうことで起動時間を短くすることができる。
【００８８】
図３は、図２のステップＳ１００９における負荷試験処理の詳細なフローチャートを示す。
【００８９】
システム制御回路５０は、起動パラメータから読み出した前回終了時のバッテリーレベルを確認する（ステップＳ１３０１）。
【００９０】
前回電源電圧が低い状態で電源Ｏｆｆした場合は、起動パラメータから読み出した電子ファインダ設定に従って通常係数よりも高い負荷試験係数で電子ファインダが表示可能か試験する（ステップＳ１３１１、Ｓ１３２０）。電子ファインダを使用する設定における負荷試験に失敗した場合は、電子ファインダＯｆｆで起動可能な撮影モードか確認する（ステップＳ１３２２）。電子ファインダＯｎでないと起動できない動画、スティッチモードの場合は電源Ｏｆｆする。その他、電子ファインダＯｆｆで起動可能な撮影の場合は、電子ファインダＯｆｆの負荷試験を実行する（ステップＳ１３１１）。このとき、電子ファインダＯｎでしか起動できない撮影モードでもメニュー等で設定変更可能な撮影モードの場合は、電子ファインダＯｆｆ設定が可能な撮影モードに変更して起動することも可能であう。負荷試験に成功した場合は、電子ファインダＯｆｆを仮の設定として次の処理に進む。負荷試験に失敗した場合は、電源Ｏｆｆする（ステップＳ１３１２）。
【００９１】
前回電源電圧が正常で終了した場合には、負荷試験係数が通常であること以外は、上記処理と同様な処理を実行する。
【実施例２】
【００９２】
＜撮像装置１００の動作説明＞
図４を参照して、本発明の第２の実施例の動作を説明する。
【００９３】
起動シーケンスの説明以外は実施例１のフローと同様である。
【００９４】
図４は本実施例の起動シーケンスのフローチャートを示す。
【００９５】
図４を用いて、起動シーケンスの動作を説明する。
【００９６】
電池交換等の電源投入により、システム制御回路５０はフラグや制御変数等を初期化すると共に、基本ソフトの起動を行なう（ステップＳ１７０１）。撮像装置１００各部の初期化処理を行なう（ステップＳ１７０３）。
【００９７】
起動パラメータが不揮発性メモリ５６に記録されているかを確認する（ステップＳ１７０７）。起動パラメータは、前回の終了状態、前回終了時のバッテリーレベル、ズーム位置、撮影モード、電子ファインダ設定、表示器設定、起動音設定、起動画面設定、消音設定等の鏡筒を繰り出すために必要な情報やシステム状態に応じて起動方法を変えなければいけない情報や起動画面／音に必要な設定である。
【００９８】
また、起動パラメータを読み出し後、鏡筒繰り出しに必要な電子ファインダ設定を制御変数に設定する。
【００９９】
システム制御回路５０は、電源スイッチ６０の設定位置を判断し、電源スイッチ６０が電源ＯＦＦに設定されていたならば、各表示部の表示を終了状態に変更し、フラグや制御変数等を含む必要なパラメータや設定値、設定モードとカメラ全体のパラメータから起動に必要なパラメータを読み出した起動パラメータを不揮発性メモリ５６に記録し、電源制御手段８０により画像表示部２８を含む画像処理装置１００各部の不要な電源を遮断する等の所定の終了処理を行なう。
【０１００】
電源スイッチ６０が撮影モードに設定されていたならば（ステップＳ１７０８）、ステップＳ１７０９に進む。
【０１０１】
この負荷試験処理（ステップＳ１７０９）の詳細は、図３を用いて後述する。
【０１０２】
負荷試験（ステップＳ１７０９）に成功した場合は、鏡筒繰り出しを実行する（ステップＳ１７１０）。
【０１０３】
鏡筒繰り出し処理と並列で画像表示部２８の電源を投入し、アイコン／フォント／メニュー等を表示するためにＧＵＩシステムの初期化を行なう（ステップＳ１７１５）。
【０１０４】
鏡筒繰り出し及び画像表示部２８電源投入と並列してファイルシステムの初期化を行なう（ステップＳ１７１６）。
【０１０５】
画像表示部２８の電源が設定したレベルに到達したか確認する（ステップＳ１７１７）。この確認は、各電源を投入するときに突入電流がオーバーしないためである。
【０１０６】
電源が設定レベルに到達したら、撮像素子１４の電源を投入する（ステップＳ１７１８）。
【０１０７】
カメラ全体のパラメータを不揮発性メモリ５６から読み出し、制御変数に設定する（ステップＳ１７１９）。
【０１０８】
ＧＵＩ初期化が完了しているか確認する（ステップＳ１７２０）。ＧＵＩ初期化が完了していれば、全体のパラメータ設定から撮影モードに基づいた撮影パラメータを読み出し、その情報をもとに不揮発性メモリからアイコン、フォントデータ、ＧＵＩ配置情報を読み出しＶＲＡＭと同一配置されたＤＲＡＭへ描画を行なう（ステップＳ１７２１）。
【０１０９】
鏡筒繰り出し、ファイルシステム初期化、フォーカス処理、露出処理、ホワイトバランス処理等のすべての初期化処理が完了したら、電子ファインダを表示し撮影可能状態に遷移する（ステップＳ１７２２）。
【０１１０】
ＤＲＡＭへ描画した撮影情報表示をＶＲＡＭへ転送し画像表示部に表示する（ステップＳ１７２３）。
【０１１１】
鏡筒繰り出し中のＣＰＵ空き時間に処理時間のかから不揮発性メモリからのアイコン、フォントデータの読み出し及び描画処理を実行することで電子ファインダ表示後にＤＲＡＭからＶＲＡＭの転送のみで撮影情報表示を可能とすることで起動時の情報表示の表示を高速に行なうことができる。
【図面の簡単な説明】
【０１１２】
【図１】本発明の一実施例の全体ブロック図である。
【図２】本実施例１における起動シーケンスのフローチャートである。
【図３】本実施例１における電子ファインダ負荷試験のフローチャートである。
【図４】本実施例２における起動シーケンスのフローチャートである。
【符号の説明】
【０１１３】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
３４  暗号／複合回路
３６  課金管理手段
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
５８  識別情報
６０  電源スイッチ（メインスイッチ）
６２  シャッタースイッチＳＷ１
６４  シャッタースイッチＳＷ２
７０  操作部
７２  モードダイアルスイッチ
８０  電源制御手段
８２  コネクタ
８４  コネクタ
８６  電源手段
９０  インタフェース
９２  コネクタ
１００  撮像装置
１０２  保護手段
１０４  光学ファインダ
１１０  通信手段
１１２  アンテナ
１１４  通信手段
１１６  アンテナ
２００  記録媒体
２０２  記録部
２０４  インタフェース
２０６  コネクタ
５４ａ  背面液晶パネル
５４ｂ  覗き込み型の電子ビューファインダ
７０ａ  表示切替部材
【図１】
2006109332.tif 000003
【図２】
2006109332.tif 000004
【図３】
2006109332.tif 000005
【図４】
2006109332.tif 000006